(57)【要約】
【課題】商品陳列棚の端部に装着した場合でも、商品陳列棚のスペースを有効に活用可能にする商品仕切板を提供すること。
【解決手段】  商品陳列棚に装着されて陳列棚上の商品を仕切るために用いる商品仕切板であって、長尺な平板状の商品仕切部（２）と、該商品仕切部（２）の先端部において商品仕切部（２）と略直交する方向に向けて連設された係合部（３）と、を具備し、前記係合部（３）は、前記商品仕切部（２）における片側面側に向けて連設したことを特徴としており、これを陳列棚の端部で装着する際において、商品仕切部（２）における、係合部（３）が連設された側と反対側の面が陳列棚の外側になるように配設することで、陳列棚上において無駄なスペースが形成されることを防止できて、陳列棚上のほぼ全域のスペースを活用することが可能となる。
【選択図】図１
0003101112.tif 000002
【実用新案登録請求の範囲】
【請求項１】
商品陳列棚上の商品を仕切るために用いる商品仕切板であって、
長尺な平板状の商品仕切部（２）と、
該商品仕切部（２）の先端部において商品仕切部（２）と略直交する方向に向けて連設された係合部（３）と、を具備し、
前記係合部（３）は、前記商品仕切部（２）における片側面側に向けて連設したことを特徴とする商品仕切板。
【請求項２】
前記商品仕切部（２）及び係合部（３）を合成樹脂により一体成形したことを特徴とする請求項１に記載の商品仕切板。
【考案の詳細な説明】
【技術分野】
【０００１】
本考案は、スーパーマーケットやドラッグストアにおいて、商品陳列棚上に陳列された商品を仕切るための陳列棚用の商品仕切板に係り、より詳しくは、商品陳列棚の端部に装着した場合でも商品陳列棚上に無駄な空間が形成されることのない陳列棚用商品仕切板に関する。
【背景技術】
【０００２】
一般的にスーパーマーケットやドラッグストアにおいては、商品陳列棚に陳列された商品を種類別等に区分けするために商品仕切板が用いられている。
【０００３】
ここで、従来から用いられている商品仕切板について説明すると、図４は従来の商品仕切板３１を説明するための斜視図であり、図において３１が従来の商品仕切板である。そして、この従来の商品仕切板３１は、長尺な平板状の商品仕切部３２と、この商品仕切部３２の先端側に連設された平板状の係合部３３を備えている。
【０００４】
そして、これを使用する場合には、まず、正面板３５０１と背面板３５０２により挟持部３５０３が形成されるとともに、背面板３５０２の背面側に備えられた支持板３５０４の下端に連設した係止部３５０５と、支持板３５０４の背面側任意の箇所に形成した嵌合凹部３５０６とを有するプライスカードレール３５を、商品陳列棚３４の前面側に形成された溝内に係止部３５０４を挿入することにより、商品陳列棚３４の前面側に装着する。
【０００５】
そしてその後、プライスカード用レール３５の嵌合凹部３５０６内に商品仕切板３１における係合部３３の下端部を嵌合させて、これにより、商品仕切板３１をプライスカード用レール３５に装着する。そうすると、商品仕切部３２によって商品陳列棚３４上を仕切ることが可能となる。
【特許文献１】特開平１０−１４３号公報
【特許文献２】特開平１０−１４４号公報
【考案の開示】
【考案が解決しようとする課題】
【０００６】
ところで、従来の商品仕切板３１では、図４に示されるように、商品仕切部３２に対して、その両側面側に向けて係合部３３を連設しているため、陳列棚の端部にこれを装着した場合には、商品陳列棚３４上において、商品仕切部３２と商品陳列棚３４の端部との間に無駄な空間が形成されてしまうという問題点があった。
【０００７】
即ち、図５は商品陳列棚３４に商品仕切板３１を装着した状態を示す平面図であり、図において、商品陳列棚３４の端部に装着した商品仕切板３１の場合には、商品陳列棚３４における商品仕切部３２の外側においては、係合部３３の幅の約半分程度の空間（図におけるＨ部分）が形成されてしまう。そしてこの空間Ｈは、一方側は商品仕切部３２が存在するが他方側は仕切りがなく、商品等を陳列した場合には落下してしまうおそれがあるため、商品等を陳列することができず、無駄な空間となってしまう。
【０００８】
そのため、従来の商品仕切板の場合には商品陳列棚上のスペースを全域に亘り有効に活用することが困難であるという問題点が指摘されていた。
【０００９】
そこで、本考案は、商品陳列棚上のスペースを有効に活用可能にする商品仕切板を提供することを課題としている。
【課題を解決するための手段】
【００１０】
本考案の商品仕切板は、商品陳列棚に装着されて陳列棚上の商品を仕切るために用いる商品仕切板であって、長尺な平板状の商品仕切部と、該商品仕切部の先端部において商品仕切部と略直交する方向に向けて連設された係合部と、を具備し、前記係合部は、前記商品仕切部における片側面側に向けて連設したことを特徴としている。
【考案の効果】
【００１１】
本考案の商品仕切板では、商品仕切部の片側面に向けて係合部を連設しているために、商品陳列棚の端部に装着する場合には、係合部を連設していない側が商品陳列棚の端部側になるようにしてこれを装着することにより、商品陳列棚上における無駄な空間が形成されることが無くなる。
【００１２】
そのため、本考案の商品仕切板を用いることにより、陳列棚上のスペースをその全域において有効に使用することが可能となる。
【考案を実施するための最良の形態】
【００１３】
本考案の商品仕切板では、長尺かつ平板状の商品仕切部を有しており、この商品仕切部の先端部分には、商品仕切部と略直交する方向に向けて、板状の係合部が連設されている。
【００１４】
そして、係合部の連設に際しては、前記商品仕切部における片側の面側に向けて、これを連設している。
【００１５】
ここで、商品仕切部と係合部を含めた全体を合成樹脂により一体成形するとよく、これにより製造工程を少なくすることが可能となる。
【実施例１】
【００１６】
本考案の商品仕切板の実施例について図面を参照して説明すると、図１及び図２は、本実施例の商品仕切板１を示す斜視図であり、図１及び図２は互いに反対方向から見た状態を示している。
【００１７】
そして、図において、本実施例の商品仕切板１は、長尺かつ平板状の商品仕切部２を備えており、使用に際しては、商品仕切部２の面が商品陳列棚の面と略直交する方向で、かつ、商品仕切部２の長手方向が商品陳列棚における奥行き方向と平行方向に向けて配置され、これによって、商品陳列棚上での商品の区分け等を可能にしている。
【００１８】
次に、前記商品仕切部２の先端部には、商品仕切部２の長手方向と略直交する方向に向けて係合部３が連設されており、使用に際しては、前述した従来の商品仕切板３１と同様に、この係合部３を、陳列棚の前面側に形成された溝に係止されたプライスカードレール等に嵌合し、これによって商品仕切板１を陳列棚に装着可能としている。
【００１９】
ここで、前記係合部３について説明すると、本実施例において前記係合部３は、平板状にするとともに、その下端部近傍には、これを装着した場合に抜け落ちることを防止するための爪部３０１を有している。そして、この係合部３は、その面が前記商品仕切部２の面と平行になるようにして、前記商品仕切部２における一方の面側に向けて、前記商品仕切部２の長手方向に対して略直交するように、商品仕切部２の先端部分に連設されており、これにより、商品仕切板１の全体は側面形状が略Ｌ字形状とされている。そのため、係合部３をプライスカードレールに嵌合した際には商品仕切部２は商品陳列棚における奥行き方向と平行方向に配置され、商品陳列棚上の商品を有効に仕切ることが可能である。
【００２０】
次に、このように構成される本実施例の商品仕切板１の使用方法について説明すると、図３において５は、商品のプライスカードやポップ広告等を陳列棚４に装着するために用いるプライスカード用レールであって、このプライスカード用レール５は一般的に、正面板５０１と背面板５０２とを備えることによって、プライスカード等を挟持可能な挟持部５０３が形成されており、また、前記背面板５０２の先端部には、背面板５０２の背面側に配置されるようにして支持板５０４が連設され、この支持板５０４の下端部分には、陳列棚４の前面側に形成された溝４０１内に挿入可能な係止部５０５が連設され、更に、支持板５０４における背面側任意の箇所には嵌合凹部５０６が備えられている。
【００２１】
そして、本実施例の商品仕切板１を使用して陳列棚上の商品の仕切りを行う場合には、図３に示すように、まず、陳列棚４の前面側に形成された溝４０１内に前記プライスカード用レール５の係止部５０５を挿入して、これにより陳列棚４の前面側にプライスカード用レール５を装着する。そして、それとともに、プライスカード用レール５に形成された嵌合凹部５０６内に、本実施例の商品仕切板１の係合部３を係合させる。そうすると、係合部３は商品仕切部２に対して直交する方向に連設されているために、陳列棚４の奥行き方向に向けて商品仕切部２が配設されることとなり、これによって陳列棚４上で商品の仕切りを行うことが可能となる。
【００２２】
そしてこのとき、本実施例の商品仕切板では、係合部３を、商品仕切部２の片側の面側にのみ連設しており、これにより、係合部３を連設していない側においては、何ら突起部が形成されずにストレートな状態とされているために、図３に示されるように、本実施例の商品仕切板１を陳列棚の端部に装着する際に、ストレートの面、即ち、係合部３が連設されていない側を陳列棚４の外側に向けて装着することにより、陳列棚４上において無駄なスペースが形成されることを防止できて、陳列棚上のほぼ全域のスペースを活用することが可能となる。
【００２３】
このように、本実施例の商品仕切板１を用いることにより、これを陳列棚の端部に装着した場合でも陳列棚上に無駄なスペースが形成されることを有効に防止することができ、これにより、陳列棚のスペースを有効活用することが可能である。
【００２４】
なお、本実施例においては、前記商品仕切部２と係合部３とを、合成樹脂により一体成形したが、必ずしも一体成形する必要はない。
【産業上の利用可能性】
【００２５】
本考案の商品仕切板は、商品仕切部の一方の面側をストレートにしているために、端部に装着する必要が考えられる棚のすべてに適用できる。
【図面の簡単な説明】
【００２６】
【図１】本考案の商品仕切板の実施例を示す斜視図である。
【図２】本考案の商品仕切板の実施例を示す斜視図である。
【図３】本考案の商品仕切板の実施例の使用方法を説明するための斜視図である。
【図４】従来の商品陳列棚を示す斜視図である。
【図５】従来の商品陳列棚の問題点を説明するための図である。
【符号の説明】
【００２７】
１    商品仕切板
２    商品仕切部
３    係合部
３０１    爪
４    陳列棚
５    プライスカード用レール
【図１】
0003101112.tif 000003
【図２】
0003101112.tif 000004
【図３】
0003101112.tif 000005
【図４】
0003101112.tif 000006
【図５】
0003101112.tif 000007